(57)【要約】【課題】石炭の水素化熱分解方法において、バイオマスを用いることで生成物のうちチャーの収率を下げて、ガスの収率を増加させる。【解決手段】下段において、酸素、又は、酸素及び水蒸気と、石炭を投入して当該石炭の部分酸化によりガス化ガスを生成し、上段において、前記生成したガス化ガス中に石炭及び水素を投入して当該石炭の水素化熱分解によりガス、オイル、及びチャーを生成する、上下二室二段の反応器を用いた石炭の水素化熱分解方法であって、前記下段において、石炭投入の下流に更にバイオマスを投入し、前記生成したガス化ガスにより当該バイオマスを熱分解させることを特徴とする。【選択図】図１
2008169354.tif 000002
【特許請求の範囲】
【請求項１】
下段において、酸素、又は、酸素及び水蒸気と、石炭を投入して当該石炭の部分酸化によりガス化ガスを生成し、上段において、前記生成したガス化ガス中に石炭及び水素を投入して当該石炭の水素化熱分解によりガス、オイル、及びチャーを生成する、上下二室二段の反応器を用いた石炭の水素化熱分解方法であって、前記下段において、石炭投入の下流に更にバイオマスを投入し、前記生成したガス化ガスにより当該バイオマスを熱分解させることを特徴とする石炭の水素化熱分解方法。
【請求項２】
下段のガス化炉と上段の改質炉からなる上下二室二段の反応器を有する石炭の水素化熱分解炉であって、前記ガス化炉には、石炭を酸素、又は、酸素及び水蒸気と共に投入するガス化バーナーと、その上方に設置したバイオマス吹き込みノズルを備え、前記改質炉には、石炭及び水素の吹き込みノズルを備えることを特徴とする石炭の水素化熱分解装置。
【発明の詳細な説明】
【技術分野】
【０００１】
本発明は、石炭を水素化熱分解してガス、オイル、及びチャーを製造する方法及び装置に関するものである。特には、バイオマスを用いて生成するチャー量を減少させる方法及び装置に関するものである。
【背景技術】
【０００２】
現在まで、石炭を高温で熱分解し、直接メタンを始めとする炭化水素ガスおよびベンゼン、トルエン、キシレン（BTX）を始めとするオイルを製造する石炭熱分解プロセスがいくつか提案されている。
【０００３】
特許文献１において、石炭および炭素質原料の酸素によるガス化で生じる高温ガス中に、石炭を吹き込み、石炭の急速加熱・熱分解反応を気流層で行わせ、特にBTXを高収率で得ることが可能であり、かつ、設備のイニシャルコストを低減し、熱補給の必要がない高い熱効率の石炭熱分解方法が示されている。
【０００４】
特許文献２では、石炭ガス化ガスにバイオマスを導入して石炭とバイオマスを同時にガス化し、CO、水素等のガスを生成する方法が示されている。
【０００５】
特許文献３では、石炭ガス化ガスに、熱分解炉内でバイオマスを導入し、さらに石炭を導入することで石炭とバイオマスを同時に熱分解し、ガス、タール、チャーを生成する方法が示されている。特許文献３では、バイオマス投入により、ガス化ガスの温度を下げて、ガス化ガス温度が高すぎることで発生する、すすの生成を抑制できるとしている。
【０００６】
特許文献４では、石炭および炭素質原料の酸素によるガス化で生じる高温ガス中に石炭および水素を吹き込み、石炭の急速加熱・水素化熱分解反応を気流層で行わせ、軽質なオイルやメタン等の燃料ガスを高収率で得ることが可能な石炭の水素化熱分解方法が示されている。
【０００７】
【特許文献１】特開平５−２９５３７１号公報
【特許文献２】特開２００２−１９４３６３号公報
【特許文献３】特開２００６−１２４４９６号公報
【特許文献４】特開２００４−２１７８６８号公報
【発明の開示】
【発明が解決しようとする課題】
【０００８】
特許文献１において提案されているプロセスは、BTXを始めとするオイルを高い収率で製造することが可能であり、かつ、設備のイニシャルコストを低減し、熱補給のない高い熱効率の石炭熱分解方法である。
【０００９】
熱分解される石炭の約半分は固体のチャーとなるが、チャーは高温の固体・微粉であるがために熱回収が困難であり、ハンドリングの際にはトラブルとなりやすい。1.0ＭＰａＧ以上の高圧条件で石炭のガス化・熱分解を行うと、ガス化炉において発生したガス化ガスに含まれる水蒸気と改質炉で生成したチャー中炭素の一部が反応し、ＣＯおよび水素ガスに改質炉内で転換され、チャーの発生量は減少する。
【００１０】
しかしながら、ガス化ガス中に含まれる水蒸気量が少ない場合には改質炉内のチャーのガス化反応も十分には起こらない。また、バイオマスの利用についても、特許文献１にはガス化炉および熱分解炉に投入される炭素質原料として想定されているだけであり、特に投入方法など規定されていない。
【００１１】
特許文献２において提案される方法は、石炭ガス化炉の上部にバイオマスを吹き込み、ガス化ガスの熱をバイオマスの熱分解に使用するというものであり、石炭を水素化熱分解させるものではないため、石炭の熱分解により発生したチャーも無く、チャー由来のトラブルも発生しない。
【００１２】
特許文献３において提案される方法は、石炭のガス化ガス中にバイオマスを導入した後に熱分解を行う石炭を導入するもので、石炭の過剰な熱分解を防止するためにバイオマスを導入している。この方法では、ガス化ガス中にバイオマスを投入した時点でガス化ガス温度が低下し、改質炉内でのチャーのガス化反応が十分には起こらないという問題がある。
【００１３】
特許文献４にはガス化炉に投入される原料として石炭および炭素質原料として想定されているだけであり、特に投入方法など規定されていない。
【００１４】
本発明の目的は、石炭をガス化及び水素化熱分解する際に効率よく石炭由来のチャーを減少させ、有用な燃料となるガスの発生量を増加させることができる石炭の水素化熱分解方法及び装置を提供することにある。
【課題を解決するための手段】
【００１５】
かかる問題を解決するため、本発明の要旨とするところは、以下の通りである。
（１）下段において、酸素、又は、酸素及び水蒸気と、石炭を投入して当該石炭の部分酸化によりガス化ガスを生成し、上段において、前記生成したガス化ガス中に石炭及び水素を投入して当該石炭の水素化熱分解によりガス、オイル、及びチャーを生成する、上下二室二段の反応器を用いた石炭の水素化熱分解方法であって、前記下段において、石炭投入の下流に更にバイオマスを投入し、前記生成したガス化ガスにより当該バイオマスを熱分解させることを特徴とする石炭の水素化熱分解方法。
（２）下段のガス化炉と上段の改質炉からなる上下二室二段の反応器を有する石炭の水素化熱分解炉であって、前記ガス化炉には、石炭を酸素、又は、酸素及び水蒸気と共に投入するガス化バーナーと、その上方に設置したバイオマス吹き込みノズルを備え、前記改質炉には、石炭及び水素の吹き込みノズルを備えることを特徴とする石炭の水素化熱分解装置。
【００１６】
ここで言うオイルとは、石炭の水素化熱分解により、タールよりも軽質化して生成される液成分を言う。
【００１７】
バイオマスとは生物量の総称であり、ＦＡＯ（国連食糧農業機関）によれば、農業系（麦わら、サトウキビ、米糠、草木等）、林業系（製紙廃棄物、製材廃材、除間伐材、薪炭林等）、畜産系（家畜廃棄物）、水産系（水産加工残滓）、廃棄物系（生ゴミ、ＲＤＦ（ゴミ固形化燃料；Refuse Derived Fuel）、庭木、建設廃材、下水汚泥）等に分類される。
【発明の効果】
【００１８】
本発明により、下段にガス化炉、上段に改質炉を設けた二室二段の反応器による水素化熱分解において、改質炉でのチャーのガス化反応を進行させ、チャーの生成量を低下させ、ガス生成量を増加させることが可能となる。
【発明を実施するための最良の形態】
【００１９】
石炭の水素化熱分解プロセスでは、石炭のガス化ガス中に水素および石炭を高圧下で導入し、水素化熱分解反応を起こさせるものであり、燃料ガスおよびオイルを効率よく生成することが可能である。
【００２０】
本発明では、石炭のガス化炉にバイオマスを導入することでガス化炉から発生するガス化ガス中に含まれる水蒸気を増加させ、改質炉内で水蒸気と固体チャーとのガス化反応を促進させチャー収率の減少と共に生成ガス収率の増加を行うものである。
【００２１】
水蒸気をガス化炉に直接投入することでも同様の反応を促進することは可能であるが、バイオマスを投入することでバイオマスの熱分解よりメタンやＣＯが水蒸気以外にも生成するため、効率的に燃料等に使用可能な生成ガスの量を増加させることが可能となる。
【００２２】
以下に本発明を詳細に説明する。図１に示す、本発明に係る石炭のガス、オイル、チャーへの転換装置（石炭の水素化熱分解装置）である上下二室二段の反応器の概略図を用いて本特許を詳細に説明する。ここで二室の反応器とは、反応器の構造でガスの流路に絞りを入れて部分的に流速を増加させることにより、上室に投入された石炭粒子等が下室に落下することを防ぎ、各室で独立した反応条件を設定できる反応器を言う。
【００２３】
本装置は、改質炉１、ガス化炉２および両者をつなぐスロート３で主に構成される。ガス化炉１ではガス化石炭１０を、酸素１３、又は酸素１３および水蒸気１４を酸化剤として、ガス化バーナー５を用いてガス化炉２に導入してガス化し、さらにその下流側（図の上方向）のバイオマス吹き込みノズル７よりバイオマス１２を窒素等の搬送ガスによりガス化炉内に導入し、ガス化ガス１５を生成させる。
【００２４】
ガス化炉２において、投入された酸素１３はガス化バーナー５の近傍でガス化石炭１０の燃焼により消費されるため、バイオマス吹き込みノズル７近傍では存在せず、投入されたバイオマス１２は無酸素雰囲気下で熱分解される。
【００２５】
ガス化石炭１０とバイオマス１２の投入割合は、バイオマス１２が少ないと発生する水蒸気の量が少なく、多いとガス化炉２に投入される酸素１３の量が多くなることからバイオマス１２の重量がガス化石炭１０の重量の５％から４０％の範囲であることが好ましい。
【００２６】
改質炉１では、石炭及び水素の吹き込みノズル４より、改質石炭１１及び水素２１を窒素等の搬送ガスと共に吹き込んで、ガス化ガス１５と混合して、改質石炭１１を加熱及び水素化熱分解させて生成ガス、オイル、チャー１７を生成させる。
【００２７】
この際、改質石炭１１と水素２１を別々のノズルから吹き込んでも構わないが、水素化熱分解をより促進するためには、同じノズルから吹き込むことが好ましい。
【００２８】
改質炉１では、チャーに含まれるＣの一部は、下記の反応により、ガス化ガス１５中の水蒸気と反応し、水素と一酸化炭素にガス化される。
【００２９】
Ｃ（チャー）＋Ｈ2Ｏ  →  Ｈ2＋ＣＯ
また、ガス化ガス１５に対する改質石炭１１の投入割合は、最終生成物としてガスが多い方が良い場合には改質石炭１１を少なく、オイルが多い方が良い場合には改質石炭１１を多く投入するため、ガス化ガス１００Nm3当たり改質石炭１０ｋｇから４０ｋｇの範囲であることが好ましい。
【００３０】
生成ガス、オイル、チャー１７は改質部１上部に設けられた改質部出口９より排出される。ガス化石炭１０に含まれる灰分はガス化炉２内の高温下で溶融したスラグとなりスラグ１６はスラグタップ６よりガス化炉２から排出され水槽８により急冷され水砕スラグとして系外に排出される。ここで、ガス化炉２の温度は一般的に石炭に含まれる灰分の融点以上で操業され１５００℃程度、好ましくは１２００から１７００℃である。また熱分解炉の温度は、生成するタールの量や性状、生成ガスの量や組成を考慮して決定されるが６００℃から１１００℃程度である。
【００３１】
ガス化炉２では、ガス化石炭１０を酸素１３または酸素１３および水蒸気１４でガス化するが、ガス化ガス１５に含まれる水蒸気を増加させるために水蒸気１４を増加させるとガス化炉２の底部、スラグタップ６周辺の温度を低下させ、温度を維持しスラグの流動性を確保するためには酸素１３を増加させる必要がある。
【００３２】
ガス化炉２上部にノズルを設けて水蒸気を添加する方法においてもガス化ガス１５の温度を維持し、改質炉１内でのチャーガス化反応を促進させるためには酸素１３の量を増加する必要があり、結果としてガス化ガス１５の発熱量が低下する。
【００３３】
一方、バイオマス吹き込みノズル７よりバイオマス１２をガス化炉内に導入する方法では、バイオマス１２に含まれる水分や酸素がガス化ガス１５中の水蒸気増加に寄与し、バイオマス１２を分解するためにガス化炉２の温度が低下し酸素１３を増やす必要はあるものの、バイオマス１２の熱分解により発生する水素や一酸化炭素により単純に水蒸気をガス化炉２に投入する方法に比べてガス化ガス１５の発熱量を低下させにくい。
【００３４】
これは前述の通り、単純に水蒸気をガス化炉２に投入すると、ガス化炉２の温度を維持するために酸素１３の量を増加することになるため生成するＣＯや水素の量が減少することによる。
【００３５】
バイオマス吹き込みノズル７の位置となる石炭投入の下流の範囲としてはガス化バーナー５より下部ではガス化炉２の底部やスラグタップ６の温度を下げてしまうため、ガス化バーナー５より上部とする必要があり、さらに、スロート３や改質部１に投入したのではガス化ガス１５の温度を下げてしまうためガス化炉内に設置する必要がある。
【００３６】
改質炉１内における水蒸気によるチャーのガス化反応は反応圧力に依存し、反応には０．１ＭＰａＧ以上の圧力が必要であり、それ未満の圧力ではほとんど起こらない。
【００３７】
ガス化炉２および改質炉１に投入されるガス化石炭１０および改質石炭１１に石炭以外の炭素質原料を少量添加しても構わない。
【００３８】
尚、石炭の水素化熱分解においては、改質炉内に吹き込む水素の存在により、特許文献３の熱分解で問題となったような、すすの発生は抑制され、ほとんど問題とはならない。
【実施例】
【００３９】
（実施例）
図１に記載の装置を用い、ガス化石炭量４００ｋｇ／ｈ、バイオマス１００ｋｇ／ｈの原料供給条件における本発明の実施例を以下に示す。本実施例ではバイオマスとして木材チップ（水分は木質チップ１７質量以下ドライ組成で炭素５０．９質量％、水素６．３質量％、窒素０．１質量％、酸素４２．５質量％、灰分０．２質量％）を、ガス化石炭および改質石炭には高揮発瀝青炭（水分２質量％、炭素７５．０質量％、水素５．０質量％、窒素１．０質量％、硫黄０．１質量％、酸素１４．９質量％、灰分４．０質量％）を使用した。
【００４０】
ガス化炉には石炭４００ｋｇ／ｈ、酸素３１０Ｎｍ3／ｈ、バイオマス１００ｋｇ／ｈを投入する。ガス化炉内は、温度１５５０℃、圧力２．５ＭＰａＧで操業され、Ｈ2：２０％、ＣＯ：４５％、ＣＯ2：１０％、Ｈ2Ｏ：１１％、Ｎ2：１５％のガス化ガス１１０８Ｎｍ3／ｈが発生する。バイオマス吹き込みノズルはガス化炉直胴部最上部より対向させた２カ所に設置した。
【００４１】
改質部では、石炭２７６ｋｇ／ｈ、水素２１５Ｎｍ3／ｈを投入した結果、改質部温度は８００℃となり、改質炉出口でのガス流量は１５３０Ｎｍ3／ｈ、オイル２７ｋｇ／ｈ、チャー１２１ｋｇ／ｈとなった。
（比較例１）
ガス化炉にバイオマスを使用せず、石炭を実施例の石炭・バイオマスの発熱量と同じになるように単独で供給した比較例を以下に記す。
【００４２】
ガス化炉での石炭量４６０ｋｇ／ｈ、酸素２８５Ｎｍ3／ｈで操業を行い、ガス化炉温度は実施例と同じ１５５０℃、圧力２．５ＭＰａＧとなった。その結果、Ｈ2：２０．４％、ＣＯ：４９．３％、ＣＯ2：６．８％、Ｈ2Ｏ：７．３％、Ｎ2：１６．１％のガス化ガス１０２１Ｎｍ3／ｈが発生する。改質炉では、石炭２５０ｋｇ／ｈ、水素１９１Ｎｍ3／ｈを投入した結果、改質部温度は８００℃となり、改質炉出口での生成ガス流量は１４０８Ｎｍ3／ｈ、オイル２５ｋｇ／ｈ、チャー１３２ｋｇ／ｈとなった。
（比較例２）
ガス化炉にバイオマスの替わりに水蒸気を投入し、石炭を実施例の石炭・バイオマスの発熱量と同じになるように供給した比較例を以下に記す。
【００４３】
ガス化炉に、石炭４６０ｋｇ／ｈ、酸素２９４Ｎｍ3／ｈ、水蒸気６０ｋｇ／ｈを投入する。ガス化炉内は、温度１５５０℃、圧力２．５ＭＰａＧで操業され、Ｈ2：２０．７％、ＣＯ：４２．７％、ＣＯ2：９．６％、Ｈ2Ｏ：１２．０％、Ｎ2：１５．０％のガス化ガス１０９６Ｎｍ3／ｈが発生する。水蒸気吹き込みノズルはガス化炉直胴部最上部より対向させた２カ所に設置した。
【００４４】
改質部では、石炭２７８ｋｇ／ｈ、水素１９８Ｎｍ3／ｈを投入した結果、改質部温度は８００℃となり、改質炉出口でのガス流量は１４９１Ｎｍ3／ｈ、オイル２８ｋｇ／ｈ、チャー１３１ｋｇ／ｈとなった。
【００４５】
以上より、比較例１および２に比べて実施例の方がチャー量が１０〜１４％減少し、発生ガス量は数〜９％増加させることが可能となった。
【図面の簡単な説明】
【００４６】
【図１】本発明に係る、石炭の水素化熱分解装置である上下二室二段の反応器の概略図である。
【符号の説明】
【００４７】
１    改質炉
２    ガス化炉
３    スロート
４    石炭及び水素の吹き込みノズル
５    ガス化バーナー
６    スラグタップ
７    バイオマス吹き込みノズル
８    水槽
９    改質炉出口
１０    ガス化石炭
１１    改質石炭
１２    バイオマス
１３    酸素
１４    水蒸気
１５    ガス化ガス
１６    スラグ
１７    生成ガス、オイル、チャー
２１    水素
【図１】
2008169354.tif 000003